【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
カテゴリを入力する入力手段と、
前記入力手段により入力されたカテゴリを含むカタログデータを抽出する抽出手段と、
前記抽出手段により抽出されたカタログデータを出力する出力手段と、
カタログを読み出す読み出し手段と、
前記読み出し手段により読み出したカタログにカテゴリを表す文字が存在するか判別する判別手段と、
前記判別手段により前記読み出し手段により読み出したカタログにカテゴリを表す文字が存在すると判別された場合、前記読み出し手段により読み出したカタログに存在すると判別されたカテゴリを選択し、カテゴリが選択された状態でユーザへの確認画面を提供し、前記読み出し手段により読み出したカタログに確認画面で確認されたカテゴリを関連付けて登録し、前記判別手段により前記読み出し手段により読み出したカタログにカテゴリを表す文字が存在しないと判別された場合、カテゴリが選択されていない状態でユーザへの確認画面を提供し、前記読み出し手段により読み出したカタログに確認画面で確認されたカテゴリを関連付けて登録する登録手段と
を有することを特徴とするカタログ管理装置。
【請求項２】
前記判別手段は、前記読み出し手段により読み出したカタログの１ページ目にカテゴリを表す文字が存在しないと判別された場合、前記読み出し手段により読み出したカタログの１ページ以外の文字情報を検索し、カテゴリを表す文字が存在するか判別することを特徴とする請求項１記載のカタログ管理装置。
【請求項３】
前記確認画面は、読み出されたカタログを含み、カタログのカテゴリを表す文字を他の文字と識別可能に表示することを特徴とする請求項１記載のカタログ管理装置。
【請求項４】
商品名を入力する入力手段と、
前記入力手段により入力された商品名を含むカタログデータを抽出する抽出手段と、
前記抽出手段により抽出されたカタログデータを出力する出力手段と、
カタログを読み出す読み出し手段と、
前記読み出し手段により読み出したカタログの１ページ目にカテゴリを表す文字が存在するか判別する判別手段と、
前記判別手段により前記読み出し手段により読み出したカタログにカテゴリを表す文字が存在しないと判別された場合、前記読み出し手段により読み出したカタログの１ページ目以外にカテゴリを表す文字が存在するか判定する判定手段と、
前記判定手段により前記読み出し手段により読み出したカタログにカテゴリを表す文字が存在しないと判定された場合、カテゴリが選択されていない状態でユーザへの確認画面を提供し、前記読み出し手段により読み出したカタログに確認画面で確認されたカテゴリを関連付けて登録し、前記判別手段、前記判定手段によりカタログの１ページ目にカテゴリを表す文字が存在すると判別された場合、前記読み出し手段により読み出したカタログに存在すると判別されたカテゴリを選択し、カテゴリが選択された状態でユーザへの確認画面を提供し、前記読み出し手段により読み出したカタログに確認画面で確認されたカテゴリを関連付けて登録する登録手段と
を有することを特徴とするカタログ管理装置。
【請求項５】
前記確認画面は、読み出されたカタログを含み、カタログのカテゴリを表す文字を他の文字と識別可能に表示することを特徴とする請求項４記載のカタログ管理装置。
【請求項６】
カタログ管理装置の入力手段が、カテゴリを入力する入力ステップと、
カタログ管理装置の抽出手段が、前記入力ステップにより入力されたカテゴリを含むカタログデータを抽出する抽出ステップと、
カタログ管理装置の出力手段が、前記抽出ステップにより抽出されたカタログデータを出力する出力ステップと、
カタログ管理装置の読み出し手段が、カタログを読み出す読み出しステップと、
カタログ管理装置の判別手段が、前記読み出しステップにより読み出したカタログにカテゴリを表す文字が存在するか判別する判別ステップと、
カタログ管理装置の登録手段が、前記判別ステップにより前記読み出しステップにより読み出したカタログにカテゴリを表す文字が存在すると判別された場合、前記読み出しステップにより読み出したカタログに存在すると判別されたカテゴリを選択し、カテゴリが選択された状態でユーザへの確認画面を提供し、前記読み出しステップにより読み出したカタログに確認画面で確認されたカテゴリを関連付けて登録し、前記判別ステップにより前記読み出しステップにより読み出したカタログにカテゴリを表す文字が存在しないと判別された場合、カテゴリが選択されていない状態でユーザへの確認画面を提供し、前記読み出しステップにより読み出したカタログに確認画面で確認されたカテゴリを関連付けて登録する登録ステップと
を有することを特徴とするカタログ管理方法。
【請求項７】
前記判別ステップは、前記読み出しステップにより読み出したカタログの１ページ目にカテゴリを表す文字が存在しないと判別された場合、前記読み出しステップにより読み出したカタログの１ページ以外の文字情報を検索し、カテゴリを表す文字が存在するか判別することを特徴とする請求項６記載のカタログ管理方法。
【請求項８】
前記確認画面は、読み出されたカタログを含み、カタログのカテゴリを表す文字を他の文字と識別可能に表示することを特徴とする請求項６記載のカタログ管理方法。
【請求項９】
カタログ管理装置の入力手段が、商品名を入力する入力ステップと、
カタログ管理装置の抽出手段が、前記入力ステップにより入力された商品名を含むカタログデータを抽出する抽出ステップと、
カタログ管理装置の出力手段が、前記抽出ステップにより抽出されたカタログデータを出力する出力ステップと、
カタログ管理装置の読み出し手段が、カタログを読み出す読み出しステップと、
カタログ管理装置の判別手段が、前記読み出しステップにより読み出したカタログの１ページ目にカテゴリを表す文字が存在するか判別する判別ステップと、
カタログ管理装置の判定手段が、前記判別ステップにより前記読み出しステップにより読み出したカタログにカテゴリを表す文字が存在しないと判別された場合、前記読み出しステップにより読み出したカタログの１ページ目以外にカテゴリを表す文字が存在するか判定する判定ステップと、
カタログ管理装置の登録手段が、前記判定ステップにより前記読み出しステップにより読み出したカタログにカテゴリを表す文字が存在しないと判定された場合、カテゴリが選択されていない状態でユーザへの確認画面を提供し、前記読み出しステップにより読み出したカタログに確認画面で確認されたカテゴリを関連付けて登録し、前記判別ステップ、前記判定ステップによりカタログの１ページ目にカテゴリを表す文字が存在すると判別された場合、前記読み出しステップにより読み出したカタログに存在すると判別されたカテゴリを選択し、カテゴリが選択された状態でユーザへの確認画面を提供し、前記読み出しステップにより読み出したカタログに確認画面で確認されたカテゴリを関連付けて登録する登録ステップと
を有することを特徴とするカタログ管理方法。
【請求項１０】
前記確認画面は、読み出されたカタログを含み、カタログのカテゴリを表す文字を他の文字と識別可能に表示することを特徴とする請求項９記載のカタログ管理方法。
【請求項１１】
カテゴリを入力する入力ステップと、
前記入力ステップにより入力されたカテゴリを含むカタログデータを抽出する抽出ステップと、
前記抽出ステップにより抽出されたカタログデータを出力する出力ステップと、
カタログを読み出す読み出しステップと、
前記読み出しステップにより読み出したカタログにカテゴリを表す文字が存在するか判別する判別ステップと、
前記判別ステップにより前記読み出しステップにより読み出したカタログにカテゴリを表す文字が存在すると判別された場合、前記読み出しステップにより読み出したカタログに存在すると判別されたカテゴリを選択し、カテゴリが選択された状態でユーザへの確認画面を提供し、前記読み出しステップにより読み出したカタログに確認画面で確認されたカテゴリを関連付けて登録し、前記判別ステップにより前記読み出しステップにより読み出したカタログにカテゴリを表す文字が存在しないと判別された場合、カテゴリが選択されていない状態でユーザへの確認画面を提供し、前記読み出しステップにより読み出したカタログに確認画面で確認されたカテゴリを関連付けて登録する登録ステップとをコンピュータに実行させることを特徴とするプログラム。
【請求項１２】
前記判別ステップは、前記読み出しステップにより読み出したカタログの１ページ目にカテゴリを表す文字が存在しないと判別された場合、前記読み出しステップにより読み出したカタログの１ページ以外の文字情報を検索し、カテゴリを表す文字が存在するか判別することを特徴とする請求項１１記載のプログラム。
【請求項１３】
前記確認画面は、読み出されたカタログを含み、カタログのカテゴリを表す文字を他の文字と識別可能に表示することを特徴とする請求項１１記載のプログラム。
【請求項１４】
商品名を入力する入力ステップと、
前記入力ステップにより入力された商品名を含むカタログデータを抽出する抽出ステップと、
前記抽出ステップにより抽出されたカタログデータを出力する出力ステップと、
カタログを読み出す読み出しステップと、
前記読み出しステップにより読み出したカタログの１ページ目にカテゴリを表す文字が存在するか判別する判別ステップと、
前記判別ステップにより前記読み出しステップにより読み出したカタログにカテゴリを表す文字が存在しないと判別された場合、前記読み出しステップにより読み出したカタログの１ページ目以外にカテゴリを表す文字が存在するか判定する判定ステップと、
前記判定ステップにより前記読み出しステップにより読み出したカタログにカテゴリを表す文字が存在しないと判定された場合、カテゴリが選択されていない状態でユーザへの確認画面を提供し、前記読み出しステップにより読み出したカタログに確認画面で確認されたカテゴリを関連付けて登録し、前記判別ステップ、前記判定ステップによりカタログの１ページ目にカテゴリを表す文字が存在すると判別された場合、前記読み出しステップにより読み出したカタログに存在すると判別されたカテゴリを選択し、カテゴリが選択された状態でユーザへの確認画面を提供し、前記読み出しステップにより読み出したカタログに確認画面で確認されたカテゴリを関連付けて登録する登録ステップとをコンピュータに実行させることを特徴とするプログラム。
【請求項１５】
前記確認画面は、読み出されたカタログを含み、カタログのカテゴリを表す文字を他の文字と識別可能に表示することを特徴とする請求項１４記載のプログラム。
【手続補正２】
【補正対象書類名】明細書
【補正対象項目名】発明の名称
【補正方法】変更
【補正の内容】
【発明の名称】カタログ管理装置およびカタログ管理方法とプログラム
【手続補正３】
【補正対象書類名】明細書
【補正対象項目名】０００７
【補正方法】変更
【補正の内容】
【０００７】
カタログ管理装置であって、カテゴリを入力する入力手段と、
前記入力手段により入力されたカテゴリを含むカタログデータを抽出する抽出手段と、
前記抽出手段により抽出されたカタログデータを出力する出力手段と、
カタログを読み出す読み出し手段と、
前記読み出し手段により読み出したカタログにカテゴリを表す文字が存在するか判別する判別手段と、
前記判別手段により前記読み出し手段により読み出したカタログにカテゴリを表す文字が存在すると判別された場合、前記読み出し手段により読み出したカタログに存在すると判別されたカテゴリを選択し、カテゴリが選択された状態でユーザへの確認画面を提供し、前記読み出し手段により読み出したカタログに確認画面で確認されたカテゴリを関連付けて登録し、前記判別手段により前記読み出し手段により読み出したカタログにカテゴリを表す文字が存在しないと判別された場合、カテゴリが選択されていない状態でユーザへの確認画面を提供し、前記読み出し手段により読み出したカタログに確認画面で確認されたカテゴリを関連付けて登録する登録手段とを有する。
【手続補正４】
【補正対象書類名】明細書
【補正対象項目名】０００８
【補正方法】変更
【補正の内容】
【０００８】
あるいは、カタログ管理装置であって、商品名を入力する入力手段と、
前記入力手段により入力された商品名を含むカタログデータを抽出する抽出手段と、
前記抽出手段により抽出されたカタログデータを出力する出力手段と、
カタログを読み出す読み出し手段と、
前記読み出し手段により読み出したカタログの１ページ目にカテゴリを表す文字が存在するか判別する判別手段と、
前記判別手段により前記読み出し手段により読み出したカタログにカテゴリを表す文字が存在しないと判別された場合、前記読み出し手段により読み出したカタログの１ページ目以外にカテゴリを表す文字が存在するか判定する判定手段と、
前記判定手段により前記読み出し手段により読み出したカタログにカテゴリを表す文字が存在しないと判定された場合、カテゴリが選択されていない状態でユーザへの確認画面を提供し、前記読み出し手段により読み出したカタログに確認画面で確認されたカテゴリを関連付けて登録し、前記判別手段、前記判定手段によりカタログの１ページ目にカテゴリを表す文字が存在すると判別された場合、前記読み出し手段により読み出したカタログに存在すると判別されたカテゴリを選択し、カテゴリが選択された状態でユーザへの確認画面を提供し、前記読み出し手段により読み出したカタログに確認画面で確認されたカテゴリを関連付けて登録する登録手段とを有する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】